(57)【要約】  反射ディスプレイは、各々が非反射性領域（８２）を取り囲む反射性領域（８０）を有する、複数の透明半ビード（６０）を有する。光吸収性粒子（２６）は、半ビード（６０）内に懸濁され、半ビード（６０）に向かってまたは半ビード（６０）から離れるように移動して、半ビード（６０）に入射する光線の内部全反射を選択可能にフラストレートまたは容易にする。光線を半ビードの非反射性領域（８２）を通して選択可能に反射することによって、例えば、導電領域（１０４）と、複数の反射性領域（１０８）とを有するパターン化された電極（４８）を形成し、電極の反射性領域（１０８）を半ビードの非反射性領域（８２）と位置合わせし、電極（４８）を介して媒質（２０）全体にわたって電圧を印加して、粒子（２６）が半ビード（６０）を実質的に覆う位置と、粒子（２６）が電極の反射性領域（１０８）を覆うことなく電極の導電領域（１０４）を覆う別の位置との間で粒子（２６）を電気泳動的に移動させることによって、ディスプレイ反射率を向上させる。
2008535005.tif 000002
【特許請求の範囲】
【請求項１】
反射ディスプレイにおいて、
（ａ）外方表示面（１７）を有する透明シート（１２）の内方表面から内方に突出する複数の透明半ビード（６０）であって、各々が非反射性領域（８２）を取り囲む反射性領域（８０）を有する前記複数の透明半ビード（６０）と、
（ｂ）前記透明シート（１２）から内方に離間し、前記透明シート（１２）との間に貯留部を規定する第２のシート（２４）と、
（ｃ）前記貯留部内の電気泳動媒質（２０）と、
（ｄ）前記媒質中に懸濁された複数の光吸収性粒子（２６）と、
（ｅ）光線を前記第２のシート（２４）から前記半ビード（６０）の前記非反射性領域（８２）を通して選択可能に反射する手段と、
を含む反射ディスプレイ。
【請求項２】
光線を選択可能に反射する前記手段が、
（ｉ）導電領域（１０４または１０６）と、
（ｂ）第１の複数の反射性領域（１０８または１１０）と、
を含むパターン（１００または１０２）で前記第２のシート（２４）の外方側に形成された電極を更に含み、前記第２のシート（２４）の前記第１の複数の反射性領域（１０８または１１０）の各々１つが、前記半ビード（６０）の前記非反射性領域（８２）の対応する１つに対応づけられるとともに、前記半ビード（６０）の前記非反射性領域（８２）の対応する１つと位置合わせされている、請求項１に記載の反射ディスプレイ。
【請求項３】
前記第２のシート（２４）の前記第１の複数の反射性領域（１０８または１１０）の各々１つが、前記半ビード（６０）の前記非反射性領域（８２）の前記対応する１つのサイズと形状と実質的に同様のサイズと形状を有する、請求項２に記載の反射ディスプレイ。
【請求項４】
前記導電領域（１０４または１０６）が、前記半ビード（６０）の前記反射性領域（８０）の全体的なサイズと形状と実質的に同様の全体的なサイズと形状を有する、請求項３に記載の反射ディスプレイ。
【請求項５】
前記半ビード（６０）の各々１つが、１つ以上の別の半ビード（６０）と隣接し、前記ディスプレイが、各隣接する１つ以上の前記半ビード（６０）間の非反射性隙間（８４）を更に含み、
前記パターン（１００または１０２）が、前記第２のシート（２４）の外方側上の第２の複数の反射性領域（１１２）を更に含み、
前記第２の複数の反射性領域（１１２）の各々１つが、前記隙間（８４）の対応する１つに対応し、前記隙間（８４）の対応する１つと位置合わせされている、請求項４に記載の反射ディスプレイ。
【請求項６】
前記第２の複数の反射性領域（１１２）の各々１つが、前記隙間（８４）の対応する１つのサイズと形状と実質的に同様のサイズと形状を有する、請求項５に記載の反射ディスプレイ。
【請求項７】
前記半ビード（６０）の前記非反射性領域（８２）の各々１つが、第１の直径を有する円形形状であり、前記パターン（１００または１０２）の前記第１の複数の反射性領域（１０８または１１０）の各々１つが、前記第１の直径と実質的に等しい第２の直径を有する円形形状を有する、請求項  に記載の反射ディスプレイ。
【請求項８】
前記半ビード（６０）の前記反射性領域（８０）の各々１つが環状形状を有する、請求項７に記載の反射ディスプレイ。
【請求項９】
光線を選択可能に反射する前記手段が、前記媒質（２０）中に懸濁する複数の反射粒子（１１８）を更に含む、請求項１に記載の反射ディスプレイ。
【請求項１０】
前記反射粒子（１１８）が、前記吸収性粒子（２６）の平均直径より実質的に大きい平均直径を有する、請求項９に記載の反射ディスプレイ。
【請求項１１】
前記反射粒子（１１８）が、前記吸収性粒子（２６）の前記平均直径の約１０倍の平均直径を有する、請求項１０に記載の反射ディスプレイ。
【請求項１２】
前記反射粒子（１１８）が、電気泳動的に中立である、請求項１０に記載の反射ディスプレイ。
【請求項１３】
前記反射粒子（１１８）が、前記吸収性粒子（２６）の静電荷と反対の静電荷を有する、請求項１０に記載の反射ディスプレイ。
【請求項１４】
前記反射粒子（１１８）が、白色粒状物である、請求項１０に記載の反射ディスプレイ。
【請求項１５】
前記反射粒子（１１８）が、二酸化チタン粒子である、請求項１０に記載の反射ディスプレイ。
【請求項１６】
光線を選択可能に反射する前記手段が、前記半ビード（６０）と前記第２のシート（２４）との間の反射性多孔性膜（１４０）を更に含む、請求項１に記載の反射ディスプレイ。
【請求項１７】
各膜（１４０）が、前記吸収性粒子（２６）の平均直径より実質的に大きい平均直径を有する孔を更に含む、請求項１６に記載の反射ディスプレイ。
【請求項１８】
前記孔が、前記吸収性粒子（２６）の前記平均直径の約１０倍の平均直径を有する、請求項１７に記載の反射ディスプレイ。
【請求項１９】
前記膜（１４０）が、表面積を有し、前記孔が、前記表面積のうち、前記膜（１４０）を通る前記吸収性粒子（２６）の実質的に妨げられない通過を可能にするのに十分に大きな割合を含む、請求項１７に記載の反射ディスプレイ。
【請求項２０】
前記膜（１４０）が、拡散反射性の外方表面（１４２）を更に含む、請求項１６に記載の反射ディスプレイ。
【請求項２１】
前記膜（１４０）が、鏡面反射性の外方表面（１４２）を更に含む、請求項１６に記載の反射ディスプレイ。
【請求項２２】
前記半ビード（６０）の各々１つが、前記１つ以上の別の半ビード（６０）に隣接し、光線を選択可能に反射する前記手段が、前記半ビード（６０）の各々の隣接する１つ以上との間の反射構造体（１６２）を更に含む、請求項１に記載の反射ディスプレイ。
【請求項２３】
前記反射構造体（１６２）の各々１つが、前記透明シート（１６）の前記内方表面から内方に突出する、請求項２２に記載の反射ディスプレイ。
【請求項２４】
前記反射構造体（１６２）の各々１つが、ほぼ半球形状を有する、請求項２３に記載の反射ディスプレイ。
【請求項２５】
前記反射構造体（１６２）の各々１つが、前記反射構造体（１６２）上で入射する光線のかなりの部分の全反射を引き起こすのに十分に高い曲率を有する、請求項２３に記載の反射ディスプレイ。
【請求項２６】
（ａ）外方表示面（１７）を有する透明シート（１６）の内方表面から内方に突出する複数の透明半ビード（６０）であって、各々が非反射性領域（８２）を取り囲む反射性領域（８０）を有する前記複数の透明半ビード（６０）と、（ｂ）前記透明シート（１６）から内方に離間し、前記透明シート（１６）との間に貯留部を規定する第２のシート（２４）と、（ｃ）前記貯留部内の電気泳動媒質（２０）と、（ｄ）前記媒質中に懸濁する複数の光吸収性粒子（２６）とを有する反射ディスプレイの反射率を増加させる方法であって、
光線を前記半ビード（６０）の前記非反射性領域（８２）を通して選択可能に反射するステップを備える前記方法。
【請求項２７】
光線を前記半ビード（６０）の前記非反射性領域を通して選択可能に反射する前記ステップが、
（ｉ）非反射性領域（１０４または１０６）と、
（ｉｉ）第１の複数の反射性領域（１０８または１１０）と
を含むパターン（１００または１０２）で前記第２のシート（２４）の外方側に電極（４８）を形成するステップと、
前記第１の複数の反射性領域（１０８または１１０）の各々１つを前記半ビード（６０）の前記非反射性領域（８２）の対応する１つと位置合わせするステップと、
電圧を前記媒質（２０）全体にわたって印加して、前記吸収性粒子（２６）が前記半ビード（６０）の内方表面を実質的に覆う第１の位置と、前記吸収性粒子（２６）が前記第１の複数の反射性領域（１０８または１１０）を覆うことなく前記電極（４８）の前記非反射性領域（１０４または１０６）を実質的に覆う第２の位置との間で前記吸収性粒子（２６）を選択可能に電気泳動的に移動させるステップと
を含む、請求項２６に記載の方法。
【請求項２８】
前記第２のシート（２４）から前記透明シート（１２）を距離をおいて離間するステップを更に含み、前記距離は、前記電極（４８）の前記第１の複数の反射性領域（１０８または１１０）の１つによって反射された入射光線が、前記入射光線の入射方向に実質的に反対の方向に反射されるように選択される、請求項２７に記載の方法。
【請求項２９】
前記半ビード（６０）の前記非反射性領域（８２）の１つのサイズと形状と実質的に同様のサイズと形状で、前記第１の複数の反射性領域（１０８または１１０）の各々１つを形成するステップを更に含む、請求項２７に記載の方法。
【請求項３０】
前記半ビード（６０）の前記反射性領域（８０）の全体的なサイズと形状と実質的に同様の全体的なサイズと形状で、前記非反射性領域（１０４または１０６）を形成するステップを更に含む、請求項２７に記載の方法。
【請求項３１】
前記半ビード（６０）の各々１つが、前記１つ以上の別の半ビード（６０）に隣接し、
各々の隣接する１つ以上の前記半ビード（６０）の間に非反射性隙間（８４）が存在し、
前記パターンが第２の複数の反射性領域（１１２）を更に含み、前記第２の複数の反射性領域（１１２）の各々１つが、前記隙間（８４）の１つのサイズと形状と実質的に同様のサイズと形状を有する、請求項３０に記載の方法。
【請求項３２】
前記半ビード（６０）の前記非反射性領域（８２）の各々１つが第１の直径を有する円形形状であり、前記方法が、前記第１の直径と実質的に等しい第２の直径を有する円形形状で、前記第１の複数の反射性領域（１０８または１１０）の各々１つを形成するステップを更に含む、請求項３０に記載の方法。
【請求項３３】
光線を前記半ビード（６０）の前記非反射性領域（８２）を通して選択可能に反射する前記ステップが、
複数の反射粒子（１１８）前記媒質（２０）中に懸濁させるステップと、
電圧を前記媒質（２０）全体にわたって印加して、前記吸収性粒子（２６）が前記半ビード（６０）の内方表面を実質的に覆う第１の位置と、前記反射粒子（１１８）が前記半ビード（６０）と前記吸収性粒子（２６）との間にある第２の位置との間で前記反射粒子（１１８）を介して前記吸収性粒子（２６）を選択可能に電気泳動的に移動させるステップと
を更に含む、請求項２６に記載の方法。
【請求項３４】
前記反射粒子（１１８）が、前記吸収性粒子（２６）の平均直径より実質的に大きい平均直径を有する、請求項３３に記載の方法。
【請求項３５】
前記反射粒子（１１８）が、前記吸収性粒子（２６）の前記平均直径の約１０倍の平均直径を有する、請求項３４に記載の方法。
【請求項３６】
前記反射粒子（１１８）に電気泳動的に中立に帯電させるステップを更に含む、請求項３３に記載の方法。
【請求項３７】
前記吸収性粒子（２６）の静電荷と反対の静電荷で前記反射粒子（１１８）に帯電させるステップを更に含む、請求項３３に記載の方法。
【請求項３８】
光線を前記半ビード（６０）の前記非反射性領域（８２）を通して選択可能に反射する前記ステップが、
前記半ビード（６０）と前記第２のシート（２４）との間で、前記媒質（２０）中に反射性多孔膜（１４０）を設置するステップと、
電圧を前記媒質（２０）全体にわたって印加して、前記吸収性粒子（２６）が前記半ビード（６０）の内方表面を実質的に覆う第１の位置と、前記膜（１４０）が前記半ビード（６０）と前記吸収性粒子（２６）との間にある第２の位置との間で、前記膜（１４０）を介して選択可能に電気泳動的に前記吸収性粒子（２６）を移動させるステップと
を更に含む、請求項２６に記載の方法。
【請求項３９】
前記膜（１４０）が、前記吸収性粒子（２６）の平均直径より実質的に大きい平均直径を有する孔を更に含む、請求項３８に記載の方法。
【請求項４０】
前記孔が、前記吸収性粒子（２６）の前記平均直径の約１０倍の平均直径を有する、請求項３９に記載の方法。
【請求項４１】
前記膜（１４０）が、表面積を有し、前記孔が、前記表面積のうち、前記膜（１４０）を通る前記吸収性粒子（２６）の実質的に妨げられない通過を可能にするのに十分に大きな割合を含む、請求項３８に記載の方法。
【請求項４２】
前記半ビード（６０）の各々１つが、前記１つ以上の別の半ビード（６０）に隣接し、
光線を前記半ビードの前記非反射性領域（８２）を通して選択可能に反射する前記手段が、
各々の隣接する１つ以上の前記半ビード（６０）の間に反射構造体（１６２）を設置するステップと、
電圧を前記媒質（２０）全体にわたって印加して、前記吸収性粒子（２６）が前記半ビード（６０）と前記反射構造体（１６２）の内方表面を実質的に覆う第１の位置と、前記吸収性粒子（２６）が前記半ビード（６０）または前記反射構造体（１６２）を覆わない第２の位置との間で前記吸収性粒子（２６）を選択可能に電気泳動的に移動させるステップと
を更に含む、請求項２６に記載の方法。
【請求項４３】
前記透明シート（１２）の前記内方表面から内方に突出するように前記反射構造体（１６２）を形成するステップを更に含む、請求項４２に記載の方法。
【請求項４４】
ほぼ半球形状で前記反射構造体（１６２）を形成するステップを更に含む、請求項４３に記載の方法。
【請求項４５】
前記反射構造体（１６２）上で入射する光線のかなりの部分の全反射を引き起こすのに十分に高い曲率を有する前記反射構造体（１６２）を形成するステップを更に含む、請求項４３に記載の方法。
【請求項４６】
前記透明シート（１２）を軟化するステップと
密に配置された球形ビードを前記透明シート（１２）中に部分的に埋設するステップ
によって前記半ビード（６０）と前記反射構造体（１６２）を形成するステップを更に含む、請求項４３に記載の方法。
【請求項４７】
円形アパーチャ付きメッシュを設置するステップと、
前記透明シート（１２）を軟化するステップと、
圧力を前記透明シート（１２）に印加するステップと、
前記メッシュを前記透明シート（１２）内に圧入するステップと
によって前記半ビード（６０）と前記反射構造体（１６２）とを形成するステップを更に含む、請求項４３に記載の方法。
【発明の詳細な説明】
【技術分野】
【０００１】
（関連出願の参照）
本出願は、２００５年４月１５日出願の米国特許仮出願第６０／６７１５３８号の利益を主張すると共に、２００６年１月１７日出願の米国特許仮出願第６０／７５９７７２号の利益を主張する。
【０００２】
本発明は、米国特許第５９９９３０７号明細書、米国特許第６６０４７８４号明細書、米国特許第６２１５９２０号明細書、米国特許第６８６５０１１号明細書、米国特許第６８８５４９６号明細書、米国特許第６８９１６５８号明細書に記載されたタイプの反射像ディスプレイの輝度向上に関するものであり、その全ての開示内容全体は、引用により本明細書に組み入れられる。
【背景技術】
【０００３】
図１Ａは、米国特許第６８８５４９６号明細書、米国特許第６８９１６５８号明細書に記載されたタイプの先行技術による反射（即ち、前部照明）電気泳動的にフラストレートした全反射調整（electrophoretically frustrated total internal reflection （ＴＩＲ） modulated）ディスプレイ１０の一部を示す。ディスプレイ１０は、視聴者Ｖが表示方向Ｙの角度範囲を通じて観察する平坦な外方表示面１７を有する高屈折率（例えば、η２＞〜１．７５）高分子材料の内方表面内に、多数の高屈折率（例えば、η１＞〜１．９０）の球状または略球状ビード１４を部分的に埋設することによって形成された透明外方シート１２を含む。「内側方」および「外方」を両頭矢印Ｚで示す。ビード１４は密に充填されて、ビード１４の１つの直径にほぼ等しい厚みを有する内方に突出する単層１８を形成する。各ビード１４はそのビードの直近にある全てのビードと接触するのが理想的である。隣接するビード間には最小の介在隙間が残る（隙間なしであるのが理想的）。
【発明の開示】
【発明が解決しようとする課題】
【０００４】
電気泳動媒質２０は、下部シート２４によって画定された貯留部２２内での媒質２０の封じ込めによって材料１６から内方に突出するビード１４の一部に隣接して維持される。ミネソタ州セントポールの３Ｍから入手可能なＦｌｕｏｒｉｎｅｒｔ（登録商標）ペルフルオロ化炭化水素液体（η３〜１．２７）などの不活性で低屈折率（例えば、約１．３５未満）で低粘度の絶縁液体は、適切な電気泳動媒質である。他の液体または水も電気泳動媒質２０として使用することができる。このようにしてビードと液体のＴＩＲ接触面が形成される。媒質２０は、例えば、顔料や、染色等で散乱性／吸収性にされたシリカやラテックス粒子などの、光散乱性や吸収性の粒子２６の微細に分散した状態のサスペンションを含む。シート２４の光学的特性はそれほど重要なものではなく、シート２４は、電気泳動媒質２０と粒子２６を封じ込める貯留部を形成し、背面電極４８の支持体の役目をしさえすればよい。
【０００５】
周知であるように、異なる屈折率を有する２つの媒質間のＴＩＲ接触面は、臨界角θｃによって特徴づけられる。θｃを下回る角度で前記接触面に入射する光線は、前記接触面を透過する。θｃを上回る角度で接触面に入射する光線は、接触面にてＴＩＲする。小さな臨界角は、ＴＩＲが起こることのできる大きな角度範囲が得られることから、ＴＩＲ接触面では好適である。
【課題を解決するための手段】
【０００６】
電気泳動がない場合、図１Ａにおいて点線２８の右側に示すように、シート１２とビード１４を通過する光線の大部分は、ビード１４の内方表面にてＴＩＲする。例えば、入射光線３０、３２は、材料１６とビード１４で反射される。光線は、光線３０の場合では地点３４、３６にて、光線３２の場合では地点３８、４０にて示すように、ビードと液体のＴＩＲ接触面にて２回またはそれ以上の回数でＴＩＲする。その後、全反射した光線は、ビード１４と材料を介して屈折して、それぞれ光線４２、４４として出射して、各反射性領域または画素において「白色」外観が得られる。
【０００７】
ビード１４の内方に突出する表面部とシート２４の外方表面に、例えば、蒸着によって施すことができる電極４６、４８（点線として図示）を介して電圧を媒質２０全体にわたって印加することができる。電極４６は、ビードと液体のＴＩＲ接触面にて光線との干渉を最小限に抑えるために透明であり、かなり肉薄である。背面電極４８は、透明でなくてもよい。点線２８の左側に示すように、電圧を電極４６、４８間に印加するように電圧源５０を作動して電気泳動媒質２０を駆動した場合、懸濁粒子２６は、エバネセント波が比較的強い領域に（即ち、内方に突出するビード１４の内方表面から０．２５ミクロン以内でまたはより近くに）電気泳動的に移動される。上述したように電気泳動的に移動する時に、粒子２６は、光を散乱するかまたは光を吸収し、それにより、ビードと液体のＴＩＲ接触面での有効屈折率の虚数成分恐らくは実成分を改変することによって、ＴＩＲがフラストレートまたは変調される。これを光線５２、５４によって示す。光線５２、５４は、それぞれ、５６、５８にて示すように、ビードと液体のＴＩＲ接触面にて肉薄（〜０．５μｍ）のエバネセント波領域の内側で粒子２６に当たると、散乱や吸収されるか、もしくは、散乱または吸収され、それにより、各ＴＩＲフラストレートした非反射性吸収領域または画素において「暗」外観を生じる。粒子２６は、ビードと液体のＴＩＲ接触面のＴＩＲ能力を回復して各「暗」非反射性吸収領域または画素を「白色」反射性領域または画素に変換するために電圧源５０を適切に作動することによって、肉薄エバネセント波領域の外側に移動させるだけでよい。
【０００８】
上述したように、電極４６、４８を介して媒質２０全体にわたって印加される電圧を制御することによって、外方シート１２の正味光学的特性を制御することができる。電極は、シート１２の個別の領域または画素全体にわたって媒質２０の電気泳動的駆動を制御して画像を形成するように、セグメント化されることができる。
【０００９】
図２は、拡大横断面において、球形ビード１４の１つの内方の半球または「半ビード」部６０を示す。半ビード６０は、規格化半径ｒ＝１と屈折率η１を有する。半ビード６０の中心Ｃから半径方向の距離ａにて半ビード６０に垂直方向に（材料１６を介して）入射する光線６２は、放射軸６６に対して角度θ１にて半ビード６０の内方表面に当たる。これを理論上理想的に論じるために、材料１６は、半ビード６０と同じ屈折率（即ち、η１＝η２）を有し、光線６２は、屈折なしに材料１６から半ビード６０内に進むと想定する。光線６２は、半ビード６０の内方表面にて屈折されて、放射軸６６に対して角度θ２にて光線６４として電気泳動媒質２０内に進む。
【００１０】
ここで、半ビード６０の中心Ｃから次式の距離
【００１１】
【数１】
2008535005.tif 000003
にて半ビード６０に垂直方向に（材料１６を介して）入射する光線６８を検討する。光線６８は、（放射軸７０に対する）臨界角θｃつまりＴＩＲが起こる最小所要角度にて半ビード６０の内方表面に当たる。光線６８は、したがって、光線７２として全反射され、光線７２は、再び、臨界角θｃにて半ビード６０の内方表面に当たる。光線７２は光線７４として内方表面に全反射し、臨界角θｃにて半ビード６０の内方表面に当たる。光線７４は光線７６として全反射され、光線７６は半ビード６０を垂直方向に通過してビード１４の埋設部分と材料１６に入る。したがって光線６８は入射光線６８とほぼ反対の方向に光線７６として反射される。
【００１２】
半ビード６０の中心Ｃから距離ａ≧ａｃの位置で半ビード６０に入射する全ての光線は、光源に向かって反射される（ただし、厳密な逆反射ではない）。このことは、光源が視聴者の頭上で若干後にあるときに反射が高められ、反射光が分散特性を有し、反射ディスプレイ用途において望ましい白外観が得られることを意味する。図３Ａ、図３Ｂ、図３Ｃは、半ビード６０の反射モードのうちの３つを示す。これらおよび他のモードは共存するが、各モードを別途に論じることが有用である。
【００１３】
図３Ａにおいては、ａｃ＜ａ≦ａ１の距離の範囲内で入射する光線は、２回ＴＩＲし（２回ＴＩＲモード）、反射光は、入射光線の方向の反対方向に中心がある比較的広い円弧φ１内で分岐する。図３Ｂにおいては、ａ１＜ａ≦ａ２の距離の範囲内で入射する光線は、３回ＴＩＲし（３回ＴＩＲモード）、反射光は、入射光線の方向の反対方向にやはり中心があるより狭いφ２＜φ１内で分岐する。図３Ｃにおいては、ａ２＜ａ≦ａ３の距離の範囲内で入射する光線は、４回ＴＩＲし（４回ＴＩＲモード）、反射光は、入射光線の方向の反対方向にやはり中心がある更に狭いφ３＜φ２内で分岐する。したがって、半ビード６０は、「半再帰反射（semi-retro-reflective）」、部分的分散反射特性を有し、ディスプレイ１０は、紙と同様の分散外観を有する。
【００１４】
ディスプレイ１０は、優勢な照明源が視聴者の背後で小さな角度範囲内にあるとき、紙に比べ比較的高い見かけの輝度を有する。これを図１Ｂに示す。図１Ｂには、視聴者がディスプレイ１０を見ることのできる広い角度範囲αと、視聴者Ｖの位置に対する照明源Ｓのずれ角度である角度βが示されている。ディスプレイ１０の高い見かけの輝度は、βがあまり大きくない限り維持される。通常の入射にて、半ビード６０の反射Ｒ（即ち、半ビード６０で入射する光線のうちＴＩＲによって反射する部分）は、式（１）によって得られる。
【００１５】
【数２】
2008535005.tif 000004
η１は、半ビード６０の屈折率であり、η３は、ＴＩＲが起こる半ビード６０の表面近傍にある媒質の屈折率である。したがって、半ビード６０がポリカーボネート（η１〜１．５９）などのより低い屈折率の材料で形成される場合、また、隣接する媒質がＦｌｕｒｏｒｉｎｅｒｔ（η３〜１．２７）である場合、約３６％の反射率Ｒが得られ、一方、半ビード６０が屈折率の高いナノ複合材料（η１〜１．９２）で形成された場合、約５６％の反射率Ｒが得られる。照明源Ｓ（図１Ｂ）が視聴者Ｖの頭の背後にあるとき、ディスプレイ１０の見かけの輝度は、上述した半再帰反射特性によって更に向上する。
【００１６】
図４Ａから図４Ｇに示すように、半ビード６０の反射率は、広い入射角範囲にわたって維持され、それにより、ディスプレイ１０の広い角度での表示特性およびその見かけの輝度が向上する。例えば、図４Ａは、垂直方向の入射から、即ち、垂線から０度のずれである入射角からみたときの半ビード６０を示す。この場合、ａ≧ａｃが環帯として現れる半ビード６０の部分８０。環帯は、白として示されており、上述したように、これがＴＩＲによって入射光線を反射する半ビード６０の領域であるという事実に対応している。環帯は、暗として示される円形領域８２を取り囲んでおり、これは入射光が吸収されてＴＩＲしない半ビード６０の非反射性領域であるという事実に対応している。図４Ｂから図４Ｇは、それぞれ、垂線から１５度、３０度、４５度、６０度、７５度、９０度だけずれている入射角からみたときの半ビード６０を示す。図４Ｂから図４Ｇを図４Ａと比較すると、ａ≧ａｃについて半ビード６０の反射部分８０の観察区域は入射角が大きくなるにつれて徐々にしか小さくならないことがわかる。近視射入射角（例えば、図４Ｆ）にてさえも、観察者は、まだ、反射部分８０のかなりの部分を見ており、それにより、ディスプレイ１０では、高い見かけの輝度が維持される広い角度表示範囲が得られる。
【００１７】
図１Ａに示すビード１４の各々１つの内方の「半ビード」部分に対応する半球のアレイの反射率の推定値は、個々の半ビードの反射率に半ビードの充填効率係数ｆを掛けることによって得られる。密に充填された構造体の充填効率係数ｆの計算では、当業者に周知である種々の直接的な幾何学法が適用される。図５に示す六方最密充填（ＨＣＰ）構造では、ビード１４が均一なサイズであると想定して、充填効率ｆ∝π／（６・ｔａｎ３０度）〜９０．７％が得られる。
【００１８】
ＨＣＰ構造体は半球についての最高の充填密度を与えるが、半ビードを規則的な配置で充填しなくてもよく、また、半ビードは均一なサイズでなくてもよい。約１μｍから５０μｍの範囲内の直径を有する不均一な半ビードの不規則な分散の場合、充填密度は８０％であり、その光学的な外見は、均一サイズの半ビードのＨＣＰ配置とほぼ同様である。一部の反射ディスプレイ用途については、このような不規則に配分された配置の方が製造する上では実際的であると考えられ、このような理由から、充填密度が劣ることによる反射率の多少の低下は問題ないと考えられる。しかしながら、簡潔さを期すために、以下の説明は、図５の均一サイズの半ビードのＨＣＰ配置に焦点を当てたものであり、屈折率η１／η３＝１．５を有する材料の使用を想定している。これらの係数は、本開示内容の範囲を限定するものと考えるべきではない。
【００１９】
図２に関して説明したように、半ビード６０の中心Ｃから距離ａ＜ａｃの位置で半ビード６０の平坦な外方表面に垂直方向入射する光線のかなりの部分はＴＩＲせず、したがって、半ビード６０によって反射されない。その代わりに、このような光線のかなりの部分は、先行技術によるディスプレイ１０によって散乱および吸収もしくは散乱または吸収され、半ビード６０に暗い非反射性円形領域８２（図４Ａから図４Ｇ）が生じる。図５は、上述したように、各々が反射性環状領域８０によって取り囲まれる、複数の暗い非反射性領域８２を示す。
【００２０】
半ビード６０の平均表面反射率Ｒは、反射環帯８０面積：反射環帯８０と暗い円形領域８２とを含む総面積の比率によって決まる。その比率は、式（１）に従って、半ビード６０の屈折率η１：ＴＩＲが起こる半ビード６０の表面に隣接する媒質の屈折率η３の比率で決まる。したがって、平均表面反射率Ｒは、半ビード６０の屈折率η１：隣接媒質の屈折率η３の比率と共に大きくなることが明らかである。例えば、空気（η３〜１．０）中の半球水滴（η１〜１．３３）の平均表面反射率Ｒは、約４３％であり、空気中のガラス半球（η１〜１．５）の平均表面反射率Ｒは、約５５％であり、空気中のダイヤモンド半球（η１〜２．４）の平均表面反射率Ｒは、８２％を超える。
【００２１】
上述したように、球形（または半球）形状のビードを使用してディスプレイ１０を作製するのは便利であると考えられるが、たとえ、球形（または半球）ビード１４を単層１８（図１Ａ）内に可能な限り密に充填したとしても、隣接ビード間に介在隙間８４（図５）が残ることは不可避である。隙間８４のいずれかに入射する光線は、電気泳動媒質２０内に直に進むという意味で「損失」され、望ましくない暗い点が表示面１７にできる。これらの点は見えないほど小さいから、ディスプレイ１０の外観を損ねるものではないが、表示面１７の正味平均表面反射率Ｒを確実に損ねる。
【００２２】
上述した「半再帰反射」特性は、反射ディスプレイにおいて重要であり、それは、光源Ｓが視聴者Ｖよりも上で視聴者Ｖより背後に位置する一般的な観察条件では、反射光のかなりの部分が視聴者Ｖの方に戻されるからである。これによって、結果的に、見かけの反射率が約１．５の「半再帰反射向上係数」分だけ
【００２３】
【数３】
2008535005.tif 000005
の値を超えてしまう（モスマン、Ｍ．Ａ他共著  「Ａ  Ｈｉｇｈ  Ｒｅｆｌｅｃｔａｎｃｅ，  Ｗｉｄｅ  Ｖｉｅｗｉｎｇ  Ａｎｇｌｅ  Ｒｅｆｌｅｃｔｉｖｅ  Ｄｉｓｐｌａｙ  Ｕｓｉｎｇ  Ｔｏｔａｌ  Ｉｎｔｅｒｎａｌ  Ｒｅｆｌｅｃｔｉｏｎ  ｉｎ  Ｍｉｃｒｏ−Ｈｅｍｉｓｐｈｅｒｅｓ」  ２２３〜２３６ページ、Ｓｏｃｉｅｔｙ  ｆｏｒ  Ｉｎｆｏｒｍａｔｉｏｎ  Ｄｉｓｐｌａｙ、  第２３回国際表示装置研究会議  ２００３年９月１５日〜１８日アリゾナ州フェニックスにて開催を参照）。例えば、屈折率η１／η３＝１．５のシステムにおいては、式（１）に従って求めた５５％の平均表面反射率Ｒは、上述した半再帰反射観察条件では、約８５％まで向上する。
【００２４】
個々の半ビード６０は、直径が２μｍから５０μｍの範囲内では見えないほど小さい可能性があり、図５に示すように、アレイ内に充填すると、多数の小さい、隣接する、反射性環状領域８０のために非常に反射性があるように見える表示面を創製することができる。ＴＩＲが起こる可能性があるこれらの領域８０においては、粒子２６（図１Ａ）は、ビード１４の内方の半球部分と接触していないとき、入射光の反射を損なうものではない。しかしながら、ＴＩＲが起こらない領域８２と８４においては、例えば、粒子２６がビード１４の内方の半球部分に光学的に接触しないようにエバネセント波領域の外側に移動したとしても、粒子２６は、入射光線を吸収する恐れがある。屈折率比率η１／η３は、各反射性領域８０のサイズを大きくしてこのような吸収損失を低減するために大きくすることができる。非反射性領域８２、８４は、ディスプレイ１０の全体的な表面反射率Ｒを累積的に低減してしまう。ディスプレイ１０が反射ディスプレイであることから、このような低減を最小限に抑えることが明らかに望ましい。
【００２５】
上述した半再帰反射向上係数を無視すると、屈折率比率η１／η３＝１．５を有するシステムは、上述したように、５５％の平均表面反射率Ｒを有する。約９１％のＨＣＰ配置の上述した充填効率を考えると、システムの全体的な平均表面反射率は、５５％の９１％、つまり、約５０％であり、約５０％の損失を暗示している。この損失の４１％は、円形非反射性領域８２内の光の吸収によるものであり、この損失の残りの９％は、非反射性介在隙間８４内の光の吸収によるものである。ディスプレイ１０の反射率は、特定の選定屈折率値、光学的微構造、または単層１８（図１Ａ）の外方または内方側に設置されたパターン化面を有する材料を使用してこのような吸収損失を減少させることによって、増加させることができる。
【００２６】
例えば、ディスプレイ１０の最大表面反射率は半ビード６０と電気泳動媒質２０の屈折率値の比率によって決まることから、反射率は、屈折率の低い液体（１．３５未満の屈折率）の代わりに空気（屈折率＝１．０）を電気泳動媒質２０として代用することによって、増加させることができる。
【００２７】
以下で説明するように、ディスプレイ１０の表面反射率を増加させることができ、それによりディスプレイの外観が向上する。
関連技術およびそれに関係する種々の制限事項の上述した種々の例は、例示的なものであり、排他的なものではないことを意図する。関連技術の他の制限事項は、本明細書を読み、図面を精査することにより当業者に明らかとなるであろう。
【発明を実施するための最良の形態】
【００２８】
例示的な実施形態を図面の参考図において示す。本明細書で開示する種々の実施形態および図は、制限的なものではなく例示的なものであるとみなすべきであることを意図する。
【００２９】
以下の説明を通して、具体的な詳細は、当業者がより徹底的に理解することができるように定めるものである。しかしながら、周知の要素は、不必要に開示内容を曖昧にすることを回避するために詳細な図示または説明を省略することができなかった。したがって、説明および図面は、制限的ではなく、例示的な意味において考慮すべきである。
【００３０】
背面電極４８は、それぞれ、図６Ａまたは図６Ｂに示すパターン１００または１０２のいずれか一方を用いてシート２４上に形成することができる。黒の領域１０４、１０６は導電領域であり、反射性または非反射性とすることができる。白い領域１０８、１１０、１１２は反射性領域であり、一方で領域１０８、１１０、１１２間の、他方で領域１０４、１０６間の導電性がないことを条件として、導電性または非導電性とすることができる。
【００３１】
反射性領域１０８、１１０は、各々の形状が円形であることが好ましく、半ビード６０の１つの非反射性円形領域８２の１つの直径を上回るかまたは等しい（好ましくは等しい）直径を有する。パターン１００の領域１０４は、半ビード６０の領域８０、８４の全体的なサイズと形状と実質的に同様の全体的なサイズと形状を有する。
【００３２】
領域１０４、１０６の光学的特性は、シート２４の光学的特性と同じように、それほど重要ではない。しかしながら、反射性外方表面をシート２４上に設置し、シート２４の反射性外方表面を構成する領域１０８（または１１０、１１２）の残りの部分と共に、その上に領域１０４（または１０６）を形成することが望ましい。
【００３３】
以下で説明において、パターン化された背面電極１００は、領域８２における光の吸収による吸収損失を低減するが、隙間領域８４における光吸収による吸収損失を低減するものではない。これとは対照的に、以下の説明で使用する場合、パターン化された背面電極１０２は、両方の領域８２、８４における光の吸収による吸収損失を減少させる。これは、反射性領域１１２の各々１つが隙間８４の１つのサイズと形状と実質的に同様のサイズと形状を有し、反射性領域１１２の各々１つがその隙間の隣接領域８２に対する隙間８４の対応する１つの場所と、その隣接する反射性領域１１０に対する同じ場所にある状態でパターン１０２を形成することによって得られる。
【００３４】
パターン化された背面電極１００（または１０２）は、各円形反射性領域１０８（または１１０）を非反射性円形領域８２の対応する１つと位置合わせするように、単層１８に位置決めされ、それにより、導電領域１０４（または１０６）も反射性領域８０と位置合わせされる。
【００３５】
電気泳動媒質２０が、電極４６と４８間に電圧を印加するために電圧源５０を作動させることによって駆動されたとき、粒子２６は、図７Ａ（パターン化された背面電極１００を利用する非反射性状態を示す）に示すように、単層１８の半ビード６０の内方表面を実質的に覆う。粒子２６は、上述したように、ＴＩＲをフラストレートまたは変調することによって反射性環状領域に入射する光線（例えば、光線１１４）を吸収し、また、ＴＩＲせず、ビード１４を通過する光線（例えば、光線１１６）を吸収する。粒子２６は、図２に関係して上述したように、多くの入射光線が半ビード６０と数回相互作用し、それで、実質的に覆い、結果的に問題のないレベルの吸収が起こることから、半ビード６０の内方表面を完全に覆わなくてもよい。
【００３６】
図７Ｂに示す反射状態においては、粒子２６は、パターン化された背面電極１００の導電領域１０４に（またはパターンされた背面電極１０２の導電領域１０６）引き付けられる。領域１０４は反射性環状領域８０と位置合わせされることから、粒子２６は見えずに隠れた状態である（即ち、そうでない場合には粒子２６を照光するであろう光線１１４は、領域８０によって反射されるため）。ＴＩＲしないがその代わりに半ビード６０を透過する光線１１６は、反射性領域１０８の１つに当たり、それにより、反射される。
【００３７】
半ビード単層１８が反射性領域１０８の上方において適切な距離で位置決めされた場合、透過光線は、光線がほぼ来た方向に戻されるように、反射性環状領域８０に向かって集光される。これによって、ディスプレイの半再帰反射特性が向上し、結果的に、１００％を超える知覚反射率値が得られる可能性がある。赤緑青（ＲＧＢ）カラーフィルタアレイに関連した吸収損失でさえも、パターン化された背面電極１００、１０２によって、白紙上の色インキに匹敵する輝度を有する反射像ディスプレイの製造を可能になる。
【００３８】
図８は、反射ビードの微細に分散した状態のサスペンションまたは粒子１１８を伴って吸収性粒子２６が電気泳動媒質２０内で混ざり合った状態である代替表示輝度（即ち、反射率）向上法を示す。反射ビード１１８の平均直径は、吸収性粒子２６の平均直径よりかなり大きい（例えば、約１０倍）。反射ビード１１８は、印加された電場によって影響されないように、電気泳動的に中立とすることができる。あるいは、反射ビード１１８は、印加された電場の影響を受けたときにビード１１８が粒子２６から反対方向に移動するように、吸収性粒子２６と反対の電荷を有することができる。反対の電荷を帯びた安定した粒子のサスペンションを維持することは反直観的ように思えるかもしれないが、これは、適切な安定化用分散剤を用いることによって得ることができる（アマンドソン、Ｋ他共著「Ｍｉｃｒｏｅｎｃａｐｓｕｌａｔｅｄ  Ｅｌｅｃｔｒｏｐｈｏｒｅｔｉｃ  Ｍａｔｅｒｉａｌｓ  ｆｏｒ  Ｅｌｅｃｔｒｏｎｉｃ  Ｐａｐｅｒ  Ｄｉｓｐｌａｙｓ」第２０回国際表示装置研究会議講演論文集、８４〜８７ページ、Ｓｏｃｉｅｔｙ  ｆｏｒ  Ｉｎｆｏｒｍａｔｉｏｎ  Ｄｉｓｐｌａｙ  ２０００年９月２５日から２８日にフロリダ州パームビーチにて開催を参照）。反射ビード１１８は、適切な粒状サイズ分布を有する実質的に反射性（例えば、白色）粒状材とすることができるが、二酸化チタン（η〜２．４）などの高屈折率材料が好適である。
【００３９】
電気泳動がない場合、図８において点線２８の左の方に示すように、吸収性粒子２６が小さいほど、下部シート２４に向かって大きな反射ビード１１８の下で定着する傾向がある。したがって、そうでない場合には非反射性円形領域８２によって吸収された入射光線（例えば、光線１２０）が、その代わりに、ビード１１８によって反射される（例えば、光線１２２）ことから、反射率が大きくなる。反射性環状領域８０に入射する光線（例えば、光線１２４）は、上述したように、内部全反射される（例えば、光線１２６）。
【００４０】
電圧が媒質２０全体にわたって印加されたとき、図８において点線２８の右に示すように、吸収性粒子２６が小さいほど、ビード１１８間の隙間を電気泳動的に通過して、半ビード６０の内方表面に至る。そのように移動してこの吸収性状態になったとき、粒子２６は、上述したように、ＴＩＲをフラストレートまたは変調することによって反射性環状領域８０に入射する光線（例えば、光線１２８）を吸収し、また、ＴＩＲせず、ビード１４を通過する光線（例えば、１３０）を吸収する。したがって、反射ビード１１８は、多孔性フィルタを形成し、吸収性粒子２６は、外方に移動して吸収性状態で半ビード６０と接触し、反射状態で半ビード６０から内方に移動することができ、それにより、吸収性粒子２６は反射状態で直接見えずに覆い隠される。図８では、反射ビード１１８は球形形状として示されているが、このような形状は不可欠なものではなく、ビード１１８は任意の形状のすることができることを当業者であれば理解するであろう。
【００４１】
図８の方法では、輝度向上以外の種々の利点が得られる。例えば、ビード１１８が十分に高い密度で供給された場合、吸収性粒子２６の長期的な横方向の運動を損なう傾向があり、それにより、吸収性粒子２６の凝集作用が遅くなる。このような凝集作用は、電気泳動画像ディスプレイの画像劣化の原因となる可能性がある。
【００４２】
図８の方法によって達成可能な輝度向上（即ち、反射率）を推定することができる。例えば、反射ビード１１８が約４０％の拡散反射率を有すると想定した場合、また、ビード１１８が、上述した５０％の吸収損失区域の完全性に影響を与えると想定した場合、約２０％（即ち、４０％の５０％）の輝度向上が得られる。
【００４３】
図９は、反射性多孔膜１４０が半ビード６０の内方表面と外部シート２４との間に設置される更なる代替ディスプレイ輝度（即ち、反射率）向上法を示す。膜１４０内の孔の平均直径は、吸収性粒子２６の平均直径よりかなり大きい（例えば、約１０倍）。膜１４０内の孔は、膜１４０の総表面積のうち、膜１４０を通る吸収性粒子２６の実質的に妨げられない通過を可能にするのに十分に大きな割合（例えば、少なくとも１２０％）を構成する。膜４０は、ポリカーボネートまたは繊維織膜などの多孔膜材料で形成することができる。膜１４０の外方表面１４２は、反射性が高く、拡散反射性または鏡面反射性とすることができる。適切な反射性膜１４０は、多層帯域反射体（例えば、ミネソタ州セントポールの３Ｍから販売されている多層光学膜）またはアルミ化Ｍｙｌａｒ（登録商標）撓み膜などの本質的に反射性である材料から、または、標準的な蒸着法を用いて外方表面１４２に反射性（例えば、アルミニウム）膜を被覆することによって形成することができる。
【００４４】
電気泳動がない場合、図９において点線２８の左に示すように、吸収性粒子２６が小さいほど、下部シート２４に向かって膜１４０の孔を介して定着する傾向がある。したがって、そうでない場合には非反射性円形領域８２によって吸収された入射光線（例えば、光線１４４）が、その代わりに、膜１４０の反射性外方表面１４２によって反射される（例えば、光線１４６）ことから、反射率が大きくなる。反射性環状領域８０に入射する光線（例えば、光線１４８）は、上述したように、内側全反射される（例えば、光線１５０）。
【００４５】
媒質２０全体に電圧が印加されたとき、図９において点線２８の右に示すように、吸収性粒子２６は、膜１４０の孔を介して電気泳動的に移動して半ビード６０の内方表面に至る。このように移動してこの吸収性状態になったとき、粒子２６は、上述したように、ＴＩＲをフラストレートまたは変調することによって反射性環状領域８０に入射する光線（例えば、光線１５２）を吸収し、また、ＴＩＲせず、ビード１４を通過する光線（例えば、１５４）を吸収する。膜１４０の孔によって、吸収性粒子２６は、外方に移動して吸収性状態で半ビード６０と接触し、反射状態で半ビード６０から内方に移動することができ、それにより、吸収性粒子２６は、反射状態で直接見えずに覆い隠される。
【００４６】
図９の方法によって達成可能な輝度向上（即ち、反射率）を推定することができる。例えば、膜１４０の外方表面１４２が約６０％の全体的な反射率を有すると想定し、上述した５０％の吸収損失区域の完全性に影響を与えると想定した場合、約３０％（即ち、６０％の５０％）の輝度向上が得られる。
【００４７】
図１０は、半ビード６０との間の外方シート１２の介在領域１６０が反射率を増加させるために改変される別の代替ディスプレイ輝度（即ち、反射率）向上法を示す。これは、シート１２を形成するために使用される反射性高分子材料が、１６２で示すように、介在領域１６０を介して、球形ビード１４の半ビード部分６０の間で、ほぼ半球形状に内方に突出するように、球形ビード１４を外方シート１２内に部分的に埋設することによって得られる。
【００４８】
反射性高分子構造体１６２が各々「完全な」半球形状を有する場合（理論的には理想的であるが、実際には達成不可能）、高分子構造体１６２の光反射吸収特性は、上述したように、半ビード６０と全く同じものになる。高分子構造体１６２は、所望の反射率特性を得るために半球形状であることが好ましいが、完全に半球でなくてもよい。高分子構造体１６２は、その内方表面が入射光線のＴＩＲを引き起こすのに十分な高い曲率を有するべきという点において実質的に半球でありさえすればよい。高分子構造体１６２内で起こるＴＩＲは、半ビード６０に関係して上述したのと同じ方法で吸収性粒子２６によってフラストレートさせることができる。
【００４９】
ＴＩＲは、通常は、介在領域１６０では起こらず、それにより、シート１２の全体的な反射率が低減する。半ビード６０が六方最密充填配置を有する場合、全体的な平均表面反射率は、上述したように、９１％であり、残りの９％は、介在領域１６０内の光吸収のために損失される。介在領域１６０内でのＴＩＲを容易にすることによって、図１０の輝度向上法では、有用な光反射構造体を担持するシート１２の百分率を１００％近くまで理論的に増加させることによって、この９％の損失を低減する。
【００５０】
球形ビード１４を外方シート１２内に部分的に埋設する代わりに、介在領域１６０のサイズを最小限に抑えることによって輝度を向上することができる。例えば、未硬化または軟化樹脂材料が本質的に半球構造体を形成するように、塑性変形特性を有するポリカーボネートなどの高分子材料を採用することによって、半ビード６０、高分子構造体１６２の両方を単一の一体化アレイとして作製することができ、高精度鋳造金型が不要となる。
【００５１】
図１０の輝度向上法は、更にディスプレイ輝度を向上するために、図７Ａ、図７Ｂ、図８または図９の輝度向上法と組み合わせて用いることができる。
以上、幾つかの例示的な態様および実施形態を論じたが、当業者は、特定の改変、置換、追加、その下位の組み合わせを認識するであろう。したがって、以下の添付の特許請求の範囲および本明細書以降に導入される請求項は、真の精神と範囲内である全ての当該の改変、置換、追加および下位の組み合わせを含むと解釈されることを意図する。
【図面の簡単な説明】
【００５２】
【図１】Ａは電気泳動的フラストレートまたは変調の先行技術の反射像ディスプレイの一部を、縮尺通りではないが、大きく拡大した部分縦断面図、Ｂは、図１Ａのディスプレイの広角表示範囲αと、照明源の角範囲βとを示す概略図である。
【図２】図１Ａの装置の球形ビードの一つの半球（「半ビード」）部分の大きく拡大した、縦断面図である。
【図３】Ａ、Ｂ、Ｃはそれぞれ入射光線が２回、３回、４回ＴＩＲする増加する軸はずれの距離にて図２の半ビードに垂直方向に入射する光線の半再帰反射を示す図である。
【図４】Ａ、Ｂ、Ｃ、Ｄ、Ｅ、Ｆ、Ｇはそれぞれ垂線から０度、１５度、３０度、４５度、６０度、７５度、９０度だけずれている観察角からみたときの、図２の半ビードを示す図である。
【図５】六方最密充填（ＨＣＰ）構造体内に配置された球形ビードを示す、図１のディスプレイの一部の平面（即ち、垂線から０度ずれた観察角から見たときの）横断面図である。
【図６】Ａ、Ｂは、図５の構造体と共に使用される２つの代替背面電極パターンを大きく拡大した平面図である。
【図７】Ａ、Ｂは、図６Ａの背面電極パターンを組み込んだ電気泳動的フラストレート（即ち、変調）反射像ディスプレイの一部の、大きく拡大した部分横断面図である。
【図８】電気泳動懸濁吸収反射粒子を組み込んだ電気泳動的フラストレートまたは変調反射像ディスプレイの一部を、縮尺通りではないが、大きく拡大した横断面図である。
【図９】反射性多孔膜を組み込んだ電気泳動的フラストレートまたは変調反射像ディスプレイの一部を、縮尺通りではないが、大きく拡大した横断面図である。
【図１０】隣接する半ビードの間の隙間内に余分な高分子材料を組み込んだ電気泳動的フラストレートまたは変調反射像ディスプレイの一部を、縮尺通りではないが、大きく拡大した横断面図である。
【図１】
2008535005.tif 000006
【図２】
2008535005.tif 000007
【図３】
2008535005.tif 000008
【図４】
2008535005.tif 000009
【図５】
2008535005.tif 000010
【図６Ａ】
2008535005.tif 000011
【図６Ｂ】
2008535005.tif 000012
【図７Ａ】
2008535005.tif 000013
【図７Ｂ】
2008535005.tif 000014
【図８】
2008535005.tif 000015
【図９】
2008535005.tif 000016
【図１０】
2008535005.tif 000017
【国際調査報告】
2008535005.tif 000018
2008535005.tif 000019